(57)【要約】【課題】本発明は、花木などの樹木や観葉植物や盆栽等を対象にして、取木の際に、取木部に赤玉土や鹿沼土などの植え替え時と同じ用土が使え、かつ、植え替え時の活着率が高い、作業性、機能性に優れた取木用ポットを提供する。【解決手段】上端側が開口する略円錐筒形状のポット本体と、中心部に挿入孔を設けたポット底板と、該ポット本体の上端からポット底板の挿入孔に掛けて設けた１箇所の切り込みと、該切り込みを境にしてポット本体の外径を拡大して張り出した２箇所のベロ部と、該ポット本体の上部に設けた複数の結束用バンド穴及び複数の通水穴と、から構成される取木用ポットであって、ベロ部を重ね合わせてポット本体に沿って巻き付けると共に、複数の結束用バンド穴に結束用バンドを通して絞ることによりポット本体上部を絞り込んで巾着形状に形成したことを特徴とする。【選択図】図２
2008289425.tif 000002
【特許請求の範囲】
【請求項１】
生育中の枝から取木を行う部位に用土等で囲んで発根を促す取木用ポットであって、上端側が開口する略円錐筒形状のポット本体と、中心部に挿入孔を設けたポット底板と、該ポット本体の上端からポット底板の挿入孔に掛けて設けた１箇所の切り込みと、該切り込みを境にしてポット本体の外径を拡大して張り出した２箇所のベロ部と、該ポット本体の上部に設けた複数の結束用バンド穴及び複数の通水穴と、から構成されていることを特徴とする取木用ポット。
【請求項２】
前記２箇所のベロ部を相互に重ね合わせてポット本体に沿って巻き付けると共に、前記複数の結束用バンド穴に結束用バンドを通して絞ることによりポット本体上部を絞り込んでポット本体を巾着形状に形成したことを特徴とする請求項１記載の取木用ポット。
【請求項３】
前記取木用ポットが合成樹脂製又は不織布製であることを特徴とする請求項１又は２記載の取木用ポット。
【発明の詳細な説明】
【技術分野】
【０００１】
本発明は、花木などの樹木、観葉植物、盆栽などで行われる栄養繁殖法の一種である取木で、詳しくは、枝の一部分から不定根を発根させた後、母植物から切り離して新個体を得る取木に用いられる取木用ポットに関するものである。      
【背景技術】
【０００２】
従来、取木は、花木などの樹木、観葉植物、盆栽などで行われる栄養繁殖法の一種で、枝の一部分を用土やミズゴケで包んだり、枝を地面に押し曲げて覆土したりして不定根を発生させた後、母植物から切り離して新個体を得る方法であって、比較的簡単で確実な繁殖法であるが、一時に多数の植物を増殖することは難しい。この取木には、枝を地面に掘った穴に入れて覆土する普通法や、溝を掘り枝を水平に伏せて覆土するトレンチ法や、生育中の枝に湿った粘土やミズゴケを巻き発根後切り離す高取法などがある。高取法は観葉植物（ゴム、ドラセナなど）や盆栽において用いられる。この高取法に用いられる取木用具の先行技術が開示されている（文献１）。
【特許文献１】実用新案登録第３１３０１０６号公報（〔０００７〜０００９〕、〔図２〕）
【発明の開示】
【発明が解決しようとする課題】
【０００３】
高取法における取木は、樹木の環状剥皮などの処理したところにミズゴケで包むようにビニールで巻き込んで紐などで固定するやり方や、ビニールポットに切り込みを入れて取木部に嵌めこんで包み、用土を入れて紐や針金などで固定するやり方などがある。前述のビニールで巻き込む取木の場合は、斜めや横向きの枝でも取木をすることができ、乾燥し難いという利点がある一方、赤玉土や鹿沼土などの粒状の用土は包み難いので適用し難く、ミズゴケを使用する場合が多い。しかし、植え替え時に樹木によってはミズゴケを取り除く必要があり、その際には根を傷めないように細心の注意を払った作業をする必要があった。一方、ビニールポットの場合は、取木部に赤玉土や鹿沼土などの植え替え時と同じ用土が使えるので、そのまま植え替えが可能で根株を傷めない利点はあるが、ポットを取木部に固定するのが難しく、しかも用土がこぼれ易く、また、乾き易いなどの問題があった。特に、斜めの枝の取木の場合には用土がこぼれてしまうので不向きであった。
【０００４】
本発明は、前述の課題を解決するために試行を繰り返して完成させたものであって、花木などの樹木や観葉植物や盆栽等を対象にして、安価で容易に取木作業をすることができ、作業性、機能性に優れた取木用ポットを提供するものである。
【課題を解決するための手段】
【０００５】
上記の目的を達成するための本発明の請求項１に係る取木用ポットは、生育中の枝から取木を行う部位に用土等で囲んで発根を促す取木用ポットであって、上端側が開口する略円錐筒形状のポット本体と、中心部に挿入孔を設けたポット底板と、該ポット本体の上端からポット底板の挿入孔に掛けて設けた１箇所の切り込みと、該切り込みを境にしてポット本体の外径を拡大して張り出した２箇所のベロ部と、該ポット本体の上部に設けた複数の結束用バンド穴及び複数の通水穴と、から構成されていることを特徴とする。
【０００６】
また、請求項２に係る取木用ポットは、請求項１記載の取木用ポットにおいて、前記２箇所のベロ部を相互に重ね合わせてポット本体に沿って巻き付けると共に、前記複数の結束用バンド穴に結束用バンドを通して絞ることによりポット本体上部を絞り込んでポット本体を巾着形状に形成したことを特徴とする。
【０００７】
また、請求項３に係る取木用ポットは、請求項１又は２記載の取木用ポットにおいて、前記取木用ポットが合成樹脂製又は不織布製であることを特徴とする。
【０００８】
これらの構成によれば、直立した枝に取木作業するときは、ポットの切り込み部より取木部の枝をポットに嵌めて貫通させ、ベロ部をポット本体の側壁に巻き付かせてホッチキス等の綴り具で留めてポットを形成し、次いで、ポット内に用土やミズゴケを入れて環状剥皮部等の取木部を覆って、結束バンドをポット本体上部の結束用バンド穴に通してポット本体上部を絞って開口部を閉じ、取木枝にポットを固定すると共に、巾着状の取木ポットを形成して用土のこぼれを防ぎ、用土の適用を可能にする。また、開口部を閉じることができるので、用土等の乾燥を防止することができる。また、ポット本体上部に通水穴があるので、ポット内の蒸れ防止や乾燥防止のための水遣りを可能にする。また、この取木用ポットは、斜めの枝や横向きの枝でも直立した枝の場合と同様に適用できるし、ポットの向きをベロ部が重なり合った切れ目が上方に向くように枝に固定すると、水遣り時にポット内に水がしみこみやすくなる。
【０００９】
また、本発明の取木用ポットは形状が単純であり、また、使い捨てが望ましいので、厚みが薄手の合成樹脂製でも強度が十分あり、機能も十分発揮できる。この製造はブロー成型等で一体的に成型するのが、量産可能で、しかも経済的である。また、不織布製の取木用ポットの場合は、不織繊維シートから一体的に成型して製作することが可能で、材質自体に通気性、透水性があるので、取木作業時にポットの切れ目の位置を考慮しなくてよい。また、生分解性を有するので、定植しても環境に優しいといえる。
【発明の効果】
【００１０】
本発明に係る請求項１〜３記載の取木用ポットによれば、直立や斜めや横向きの枝の取木部に対して通気性、排水性のよい赤玉土や鹿沼土などの粒状の用土を容易に使用できるので、発根し易い上、十分に根量が増えてから植え替えできるので活着がよい。また、植え替え時に同じ用土のまま植え替えすることができるので作業が容易であると共に、植え替え時の発根部のダメージを少なくできるので取木の活着がよい。また、鉢物などで取木中に移動する場合でも用土がこぼれないので扱い易い。これらの点で、盆栽などで気に入った曲がりの枝のところを取木する場合など、斜めや横向きの枝の部位でも赤玉土や鹿沼土が使用できるので、通常は困難な部位の取木ほど成功率が高い。また、本発明の取木用ポットは外観形状がスマートであり、かつ、色彩の選択も自由度があり、取木の期間中でも美観を損なうことが少ないので、趣味の盆栽の取木作業に好適である。また、合成樹脂製又は不織布製の取木用ポットはコストが安く製作できるのと、取木作業も、本発明の取木用ポットは単純な構造であり、道具も結束バンドやホッチキスや鋏などであり、低コストで、作業も簡単にすることができる。
【発明を実施するための最良の形態】
【００１１】
以下、本発明の実施形態を図面に基づいて説明する。図１は、本発明に係る取木用ポットの一実施形態であって、（ａ）は模式的斜視図、（ｂ）は平面図、（ｃ）は（ａ）のＡ矢視の側面図、（ｄ）は（ｂ）のＢ−Ｂ矢視の断面図である。図２は、本発明に係る取木用ポットを用いた取木の一実施形態であって、（ａ）は直立した枝に適用した模式的側面図、（ｂ）は直立した枝に適用した別の模式的側面図である。図３は、本発明に係る取木用ポットを用いた取木の一実施形態であって、斜めの枝に適用した模式的側面図である。
【００１２】
図１に基づいて、本発明に係わる取木用ポット１を説明すると、取木用ポット１は、上端側が開口する略円錐筒形状のポット本体２と、中心部に挿入孔８を設けたポット底板３と、該ポット本体２の上端からポット底板３の挿入孔８に掛けて設けた１箇所の切り込み４と、切り込み４を境にしてポット本体２の外径を拡大して張り出した２箇所のベロ部５と、ポット本体２の上部に設けた複数の結束用バンド穴６及び複数の通水穴７と、から一体に構成されている。取木用ポット１のサイズは、取木の対象となる枝に合わせて何種類か用意する必要があるが、具体的には植木鉢サイズで１号（径３ｃｍ）、２号、３号、４号、５号（径１５ｃｍ）の５サイズで対応できる。また、取木用ポット１の材質は、結束バンド１３やホッチキスなどの綴じ具１４でポット１を固定するので、薄くて軟らかいビニールやプラスチックなどの合成樹脂や不織布がよい。前記合成樹脂は、薄肉でも、強度が十分で、ある程度弾性があるプラスチック材料から製作するのが望ましく、ブロー成型等の成型加工により一体的に製作される。このプラスチック材料としては、安価なビニール、ポリエチレン、ポリプロピレン等のプラスチックが適している。また前記不織布は、天然繊維を用いた不織繊維シートから一体的に成型して製作することができる。また、環境に配慮するならば、そのまま定植できる生分解性プラスチックや天然植物繊維を用いた不織布も好適である。
【００１３】
前述のベロ部５については、図２、図３に示すように、取木する枝１１の部位、例えば環状剥皮部１２を挿入孔８に通してポット１内に取込み、次いで、切り込み４を挟んで２箇所のベロ部５をポット本体２に沿うように巻き付けるように重ねて、綴じ具１４で留めて取木用ポット１を組立てた後、枝１１及び部位１２を囲んで用土１５を装入して使用するが、この場合に、用土１５がこぼれなく、かつ、ポット本体２がベロ部５が重なり合った切れ目５ａから割れたり、裂けたりすることがないように、ベロ部５の張り出し長さが取木用ポット１の大きさを勘案して決められる。
【００１４】
結束用バンド穴６については、取木する枝１１の部位１２を内に取込み、部位１２を用土１５で囲んだ状態の取木用ポット１に対して、結束バンド１３をポット本体２上部に設けた結束用バンド穴６に通すことにより引き締めて、即ち、絞り込んで、絞込みガイドライン９から折れた巾着形状の取木用ポット１を形成するが、この際に、ポット本体上部が極端な皺や襞が発生しないように、結束バンド１３の大きさに対応して結束用バンド穴６の大きさと数を決めるのがよい。結束バンド１３の幅は通常５〜１０ｍｍの範囲であり、結束用バンド穴６の数は取木用ポット１のサイズに左右されるが６〜１２個の範囲である。市販されている合成樹脂製の結束バンド１３を用いるのが手短に結束作業を簡易にするが、紐や針金をその代わりに結束に用いることもできる。また、ポット本体２の上部にある絞り込みガイドライン９はポット本体２に凹状の線であるのが、絞り込み時にそこを起点に折り込めるので望ましいが、単なる目安の線でもよい。
【００１５】
前述の巾着形状の取木用ポット１において、ポット本体２の上部は、ポット１の開口部を覆って閉じることから、内部の湿潤した用土５の乾燥を防止する。また、ポット本体２上部に設けられた複数の通水穴７は、ポット１内の蒸れ防止とポット１内への水分や養分の補給のための水遣り時に、ポット１内に水が行き届くように通水穴の役目を果たす。この通水穴の形状は円形、長円形、矩形のいずれでも良く、そのサイズは、前述の蒸れ防止と水遣り穴としての機能及び強度的に巾着形状を形成する時の割れ等を防止する点から決められる。
【００１６】
図１（ｂ）に示す底板３には、取木する枝１１をポット１内に貫通して取込むための挿入孔８が設けられ、取込む枝１１の太さに見合った挿入孔８に鋏等で加工し易くするために、寸法を示す年輪のような何本かの筋を引いた挿入孔ガイドライン１０を設けている。
【００１７】
また、取木用ポット１の色は、根張りが自然になるように光を通さない有色、例えば黒色は太陽熱を吸収し易いので気温の低い時期に有効であり、シルバー色は光を反射するのでポット１内の温度が黒色に比し上がりにくいので気温の高い時期に有効である。あるいは、ポット１内の用土を含めた乾燥具合や発根状態を見ることができる透明色があれば、使用者の目的・用途に合わせて選択することができる。不織布の場合も黒色や温度の上がりにくい白色で選択することができる。
【００１８】
図２（ａ）、（ｂ）に示すように、本発明に係る取木用ポット１（以下、ポット１と称する）で、主として合成樹脂製の取木用ポット１を用いて直立した枝１１に適用した実施形態を説明すると、先ず、取木する枝１１の部位を環状に樹皮を剥いで環状剥皮部１２を形成する。次いで、ポット１内に取り込む枝１１の太さに合わせるように、底板３のガイドライン１０に準拠して挿入孔８の内径を調整する。次いで、ポット本体２の上端から挿入孔８に掛かる切り込み４を拡開して枝１１及び環状剥皮部１２を挿入孔８に嵌めると共に、ポット１内に取込む。次いで、切り込み４を元に戻し、更に２箇所のベロ部５をポット本体２に沿うように巻き付けるように重ねて、綴じ具１４で留めてポット１を組立てる。次に環状剥皮部１２の部位を中心にポット内の枝１１も埋めるように用土１５（又はミズゴケ）を装入する。ミズゴケの場合は、根量が多くなると根とミズゴケが絡み合いミズゴケを取り除きにくい面がある。
【００１９】
次いで、取木する枝１１の環状剥皮部１２を用土１５で埋め込んだポット１のポット本体２上部に在る結束用バンド穴６に市販のビニル製の結束バンド１３を通して引き締めることにより、ポット１が枝１１に設置固定されると共に、ポット本体２の上部がガイドライン９から折れて絞込まれてポット本体２の上部の開口が閉じられ、巾着形状のポット１を形成する。また、この際、図２（ｂ）のように、ポット本体２の上部の通水穴７の部位を窪ませた巾着形状のポット１を形成すると、水遣り時に水をポット１内に滲み込ませ易い。この際に、ポット本体２の上部が極端な皺や襞の発生を防止することで、後での水遣りがポット１内に均等に行き渡らすことができるように留意するとよい。また、図２（ｂ）に示すように、ポット１のずり下がりを防止するために、ポット１の底板３にある挿入孔８の際のところで枝１１に別の結束バンド１３を固定すると共に、結束バンド１３の余り部をポット１の底板３に当てておくのがよい。
【００２０】
前述のように、取木する枝１１に取木用ポット１を設置して、水分等を適切に遣っておくと、取木部である環状剥皮部１２から不定根（図示しない）が発根し成長し続ける。このようにして、植え替えても、定植すると判断できる時が来れば、取木用ポット１を枝１１毎切り離してポット１毎植え替えるか、又はポット１の外郭を外して発根部を用土毎植えつけることができる。前者の場合であっても、根が発達してくると、根の力によりポット本体２のベロ部５を留めているホッチキスなどの綴じ具１４が解放され、ポット本体２が割れて、容易に定植する用土と一体化し、取木の成長を阻害することがない。よって、どちらの植え替え作業も、本発明の取木用ポット１を用いれば、簡易であり、定植に成功する確度が大きい。
【００２１】
図３には、斜めの枝１１を対象とした取木用ポット１の適用例を示すが、横向きの枝の場合も同様であって、以下に直立した枝の取木と異なる点についてのみ説明する。斜めや横向きの枝の場合も、直立した枝の場合と同様に作業するが、ポット１の向きはベロ部５を巻いている切れ目５ａのラインが上向きになるように固定すると、水遣り時にポット１内に水が滲み込み易くなる。また、ポット１内の停滞水を防ぐためにポット１の下部の水の溜まる場所を用土１５がこぼれない程度に鋏等でカットして排水穴１６を設けておくのが良い。また、横向きの場合は、ポット本体２をホッチキスなどの綴じ具１４でポット１を形成してから、結束バンド１３を通しポット本体２の開口部を絞りながら、用土１５を中へ入れていくと、用土５の装入作業が容易となる。
【００２２】
不織布製取木用ポット１の場合は、ポット１の材質自体に通気性、通水性があるので、ポット本体２の切れ目５ａの向きを上にしたり、排水穴１６を開けたりする必要がない。また、ポット１の腰が弱いので合成樹脂製のポット１に比べ用土５を装入し難いが、用土５を入れる前に結束バンド１３で内張りしてやれば改善できる。
【産業上の利用可能性】
【００２３】
花木などの樹木や観葉植物や盆栽等で取木を行って繁殖を行う分野で、特に高取法における取木に関して利用することができる。
【図面の簡単な説明】
【００２４】
【図１】本発明に係る取木用ポットの一実施形態であって、（ａ）は模式的斜視図、（ｂ）は平面図、（ｃ）は（ａ）のＡ矢視の側面図、（ｄ）は（ｂ）のＢ−Ｂ矢視の断面図である。
【図２】本発明に係る取木用ポットを用いた取木の一実施形態であって、（ａ）は直立した枝に適用した模式的側面図、（ｂ）は直立した枝に適用した別の模式的側面図である。
【図３】本発明に係る取木用ポットを用いた取木の一実施形態であって、斜めの枝に適用した模式的側面図である。
【符号の説明】
【００２５】
１：取木用ポット    ２：ポット本体        ３：底板        ４：切り込み
５：ベロ部        ５ａ：切れ目        ６：結束バンド用穴    ７：通水穴  
８：挿入孔          ９：絞込みガイドライン      １０：ガイドライン  
１１：枝        １２：環状剥皮部      １３：結束バンド    １４：綴じ具
１５：用土        １６：排水穴          
【図１】
2008289425.tif 000003
【図２】
2008289425.tif 000004
【図３】
2008289425.tif 000005